(57)【要約】【課題】  耐用年数の長い塗装が適正な価格で行える、地域に適応した塗装方法を提供する。【解決手段】  いわきＭ工法は、福島県いわき地域における海浜近接地域に立地する建物の塗装に特に適した塗料の組み合わせ例で、下塗り層にはアレスホルダーＧII塗料、上塗り層には浜風水性無機塗料が用いられる。いわきSi工法は、福島県いわき地域における山間地域に立地する建物の塗装に特に適した塗料の組み合わせ例で、下塗り層にはアレスホルダーＧII塗料、上塗り層には浜風シリコン塗料が用いられる。いわきＵ工法は、福島県いわき地域における街中の国道沿い地域に立地する建物の塗装に特に適した塗料の組み合わせ例で、下塗り層にはアレスホルダーＧII塗料、上塗り層には浜風ウレタン塗料が用いられる。【選択図】  図２
2016016366.tif 000002
【特許請求の範囲】
【請求項１】
建物の外壁または屋根を複数の塗料で塗り重ねて複数層に塗装する塗装方法において、
建物の立地する地域の環境特性に応じて、各前記層を形成する塗料の組み合わせを選択して、塗装することを特徴とする地域適応塗装方法。
【発明の詳細な説明】
【技術分野】
【０００１】
本発明は、建物の外壁または屋根を複数の塗料で塗り重ねて複数層に塗装する塗装方法に関するものである。
【背景技術】
【０００２】
従来、この種の塗装方法としては、例えば、特許文献１に開示される塗装方法がある。この塗装方法における塗装は、中塗り層および上塗り層に、ヒバから抽出されたヒノキチオール含有の蒸留水を含む塗料が用いられて、行われる。中塗り層および上塗り層に使われる塗料がヒノキチオール含有の蒸留水を含むことで、塗料成分よりも比重の軽いヒバ蒸留水が表面に浮き出る状態になる。このため、乾燥後の塗膜の表面をヒバ成分が覆うようになって、飛来し付着する雑菌を殺傷する能力を持つようになる。この結果、従来から塗料が持ち合わせていた防藻・防カビ対策性能に相乗効果が与えられて、塗装の持ち年数が長くなる。
【先行技術文献】
【特許文献】
【０００３】
【特許文献１】特開２００７−１２６６０２号公報
【発明の概要】
【発明が解決しようとする課題】
【０００４】
しかしながら、上記従来の塗装方法は、建物の立地する地域の環境が、防藻・防カビ・雑菌対策が必要とされる地域には有効であるが、これら対策が必要とされない地域には、何ら益を提供するものではない。かえって、塗料がヒノキチオール含有の蒸留水を含むことで、塗料が高価なものとなり、価格に見合わない塗装方法になってしまう。
【課題を解決するための手段】
【０００５】
本発明はこのような課題を解決するためになされたもので、
建物の外壁または屋根を複数の塗料で塗り重ねて複数層に塗装する塗装方法において、
建物の立地する地域の環境特性に応じて、各層を形成する塗料の組み合わせを選択して、塗装することを特徴とする。
【０００６】
本構成によれば、建物の立地する地域の環境特性に応じて、塗装膜の各層を形成する塗料の組み合わせが選択されるため、建物の立地地域の環境特性に最適な組み合わせで構成される塗装膜が、建物の外壁または屋根に形成される。
【発明の効果】
【０００７】
このため、本発明によれば、耐用年数の長い塗装が適正な価格で行える、地域に適応した塗装方法が提供される。
【図面の簡単な説明】
【０００８】
【図１】本発明の地域適応塗装方法の概念を説明するための塗料の組み合わせ例を示す表図である。
【図２】福島県いわき地域に特化した本発明の一実施の形態による地域適応塗装方法に用いられる塗料の組み合わせ例を示す表図である。
【発明を実施するための形態】
【０００９】
次に、本発明の一実施の形態による地域適応塗装方法について、説明する。
【００１０】
本発明の地域適応塗装方法では、建物の外壁または屋根を複数の塗料で塗り重ねて複数層に塗装するが、この際、塗装膜の各層を形成する塗料の組み合わせは、建物の立地する地域の環境特性に応じて、選択される。
【００１１】
図１は、本塗装方法に用いられる塗料の組み合わせ例を示す表図であり、本発明の概念を示している。この例では、塗装層が下塗り層、中塗り層および上塗り層の３層で構成される場合を示している。
【００１２】
工法Ｉは、海浜近接地域に立地する建物の外壁や屋根の塗装に用いられる塗料の組み合わせ例で、下塗り層に塗料ａ、中塗り層に塗料ｂ、上塗り層に塗料ｃが用いられる。また、工法IIは、山間地域に立地する建物の外壁や屋根の塗装に用いられる塗料の組み合わせ例で、下塗り層に塗料ａ、中塗り層に塗料ｄ、上塗り層に塗料ｅが用いられる。また、工法IIIは、街中の国道沿い地域に立地する建物の外壁や屋根の塗装に用いられる塗料の組み合わせ例で、下塗り層に塗料ａ、中塗り層に塗料ｆ、上塗り層に塗料ｇが用いられる。
【００１３】
本例では、下塗り層に塗料ａが共通に用いられているが、必ずしも共通にする必要は無く、建物の立地する地域に応じた下塗り塗料材が適宜用いられる。
【００１４】
図２は、福島県いわき地域に特化した本発明の一実施の形態による地域適応塗装方法に用いられる塗料の組み合わせ例を示す表図である。この例では、塗装層が下塗り層および上塗り層の２層で構成される場合を示している。福島県いわき地域は、東北地方の太平洋側最南端に位置し、日照時間が長く、降雪が少ない、穏やかな地域環境特性を有する。一方、海に面することから、沿岸部に近い海浜近接地域では塩害が生じやすく、建物に塗装した塗膜の表面が塩分を含む外気や水分で腐食しやすい。
【００１５】
しかし、図２に示す表図に示す塗料の組み合わせで、いわき地域における各地域に応じて建物の塗装を行うと、その建物の立地地域に最適な塗装を適切な価格で行うことができる。
【００１６】
いわきＭ工法は、福島県いわき地域における海浜近接地域に立地する建物の塗装に特に適した塗料の組み合わせ例で、下塗り層には、関西ペイント株式会社製の商品名「アレスホルダーＧII」塗料が用いられる。また、上塗り層には浜風水性無機塗料が用いられる。「浜風」は出願人が保有する登録商標であり、浜風水性無機塗料は、水性で無機質のシリコン樹脂塗料である。この浜風水性無機塗料は、反応硬化により化学的に安定したポリシロキサンを形成し、塗膜の劣化要因となる熱や紫外線から建物の躯体を保護し、極めて高い耐候性、耐汚染性、および不燃性を有する。
【００１７】
いわきSi工法は、福島県いわき地域における山間地域に立地する建物の塗装に特に適した塗料の組み合わせ例で、下塗り層には、いわきＭ工法と同様にアレスホルダーＧII塗料が用いられる。また、上塗り層には浜風シリコン塗料が用いられる。浜風シリコン塗料は、セラミック変性ＮＡＤ樹脂を採用したシリコン樹脂塗料であり、透湿性を有し、防カビ・防藻性に優れ、しかも、塗装作業性がよく、臭気が少ない特性を有する。
【００１８】
いわきＵ工法は、福島県いわき地域における街中の国道沿い地域に立地する建物の塗装に特に適した塗料の組み合わせ例で、下塗り層には、いわきＭ工法と同様にアレスホルダーＧII塗料が用いられる。また、上塗り層には浜風ウレタン塗料が用いられる。浜風ウレタン塗料はウレタン樹脂系の塗料である。
【００１９】
本実施の形態による地域適応塗装方法によれば、建物の立地する地域の環境特性に応じて、塗装膜の各層を形成する塗料の組み合わせが選択されるため、建物の立地地域の環境特性に最適な組み合わせで構成される塗装膜が、建物の外壁または屋根に形成される。このため、本実施の形態による地域適応塗装方法によれば、耐用年数の長い塗装が適正な価格で提供される。
【００２０】
なお、図２に示す例では、下塗り層にアレスホルダーＧII塗料を用いているが、必ずしもこの塗料に限定されるものではなく、建物に応じて適宜選択される。
【００２１】
また、図２に示す例は、各塗料の組み合わせを建物の立地地域によって選択するものとなっているが、建物の立地地域に関係なく、各塗料の組み合わせで塗装を行うようにしてもよい。例えば、いわきＭ工法やいわきSi工法をいわき地域における街中の国道沿い地域に立地する建物の塗装に用いてもよい。また、いわきSi工法やいわきＵ工法をいわき地域における海浜近接地域に立地する建物の塗装に用いてもよい。これらの場合、各工法による塗装品質保証期間は、各工法を適用する地域や、塗装点検の有無等によって異なってくる。
【図１】
2016016366.tif 000003
【図２】
2016016366.tif 000004